(57)【要約】【課題】  浴室暖房に必要な各種配管を浴室内に配置できて、浴室の施工作業の作業性を向上させ得ると共に、各種配管のメンテナンス作業も容易に行い得る浴室を提供する。【解決手段】  防水パン上に配管立ち上げ部が設けられ、天井部分に暖房ユニットが配置された浴室であって、配管立ち上げ部から立ち上がった配管を、浴室壁面の表面部分に隠蔽状態で上下方向に通して暖房ユニットに接続したことを特徴とする。前記配管は、浴室壁面に設置されているミラーパネル裏面の空間に配置されてミラーパネルによって隠蔽されたり、浴室壁面のコーナ部に配置されてカバーによって隠蔽される。また、配管は、天井に配設した継手により所定角度屈曲して浴室壁面と天井部分に配置される。【選択図】  図１
2006214199.tif 000002
【特許請求の範囲】
【請求項１】
防水パン上に配管立ち上げ部が設けられ、天井部分に暖房ユニットが配置された浴室であって、
前記配管立ち上げ部から立ち上がった配管を、浴室壁面の表面部分に隠蔽状態で上下方向に通して前記暖房ユニットに接続したことを特徴とする浴室。
【請求項２】
前記配管は、浴室壁面に設置されているミラーパネル裏面の空間に配置されてミラーパネルによって隠蔽されていることを特徴とする請求項１に記載の浴室。
【請求項３】
前記配管は、浴室壁面のコーナ部に配置されてカバーによって隠蔽されていることを特徴とする請求項１に記載の浴室。
【請求項４】
前記配管は、天井部分に配設した継手により所定角度屈曲して浴室壁面と天井部分に配置されていることを特徴とする請求項１ないし３のいずれかに記載の浴室。
【請求項５】
前記配管は、蒸気発生用の給水配管と排水配管を含むことを特徴とする請求項１ないし４のいずれかに記載の浴室。
【請求項６】
前記排水配管は、その排水口が洗い場の防水パン上でカウンター内部に設けられていることを特徴とする請求項５に記載の浴室。
【発明の詳細な説明】
【技術分野】
【０００１】
本発明は、例えばシステムバスルーム等の浴室に係わり、特に天井部分に暖房ユニットが設置される浴室に関する。
【背景技術】
【０００２】
従来、システムバスルーム等の浴室ユニットにおいては、浴室内を暖房する目的で浴室ユニットの天井に暖房ユニットが設置される場合があり、このような浴室ユニットの場合、暖房ユニットの往きと戻りの２本の暖房循環配管が、浴室ユニットの壁パネル外面と建築躯体との間の空間内に配置されている。また、暖房ユニットに蒸気発生（サウナ）機能を付加しようとする場合には、前記暖房循環配管に加えて、蒸気発生用の給水及び排水用の配管が必要となり、この給水・排水配管も、前記暖房循環配管と同様に前記空間内に配置される。そして、蒸気発生用の排水配管の排水口は、浴室ユニット外で外部排水管に接続されたり、浴室ユニット内のバスタブエプロン内や洗い場に配設される等の方法が考えられている。なお、かかる浴室ユニットとしては、例えば特許文献１に開示されている。
【特許文献１】特開２００２−３３６３２７号公報
【発明の開示】
【発明が解決しようとする課題】
【０００３】
しかしながら、このような浴室ユニットにおいては、暖房循環配管や給水・排水配管が浴室ユニットの壁面外面と建築躯体との間の狭い空間を通して配置される構造であるため、各配管を空間内に通す作業が非常に面倒であったり、空間の大きさによっては配管が通らない状況も発生し易く、浴室ユニット（暖房ユニット）の施工作業が非常に面倒となり易い。また同時に、浴室ユニットと建築躯体との間に点検口が設けられていないため、空間内で万一水漏れが発生した場合等に、浴室ユニットの壁面や建築躯体を壊して各配管にアクセスする必要がある等、各配管のメンテナンス作業も非常に面倒となり易い。
【０００４】
本発明は、このような事情に鑑みてなされたもので、その目的は、浴室暖房に必要な各種配管を浴室内に配置できて、浴室の施工作業の作業性を向上させ得ると共に、各種配管のメンテナンス作業も容易に行い得る浴室を提供することにある。
【課題を解決するための手段】
【０００５】
かかる目的を達成すべく、本発明のうち請求項１に記載の発明は、防水パン上に配管立ち上げ部が設けられ、天井部分に暖房ユニットが配置された浴室であって、前記配管立ち上げ部から立ち上がった配管を、浴室壁面の表面部分に隠蔽状態で上下方向に通して前記暖房ユニットに接続したことを特徴とする。
【０００６】
そして、前記配管は、請求項２に記載の発明のように、浴室壁面に設置されているミラーパネル裏面の空間に配置されてミラーパネルによって隠蔽されていたり、請求項３に記載の発明のように、浴室壁面のコーナ部に配置されてカバーによって隠蔽されていることが好ましい。また、前記配管は、請求項４に記載の発明のように、天井部分に配設した継手により所定角度屈曲して浴室壁面と天井部分に配置されていることが好ましい。
【０００７】
さらに、前記配管は、請求項５に記載の発明のように、蒸気発生用の給水配管と排水配管を含むことが好ましい。また、前記排水配管は、請求項６に記載の発明のように、その排水口が洗い場の防水パン上でカウンター内部に設けられていることが好ましい。
【発明の効果】
【０００８】
本発明の請求項１に記載の発明によれば、防水パン上の、例えば洗い場のカウンター内部等に設けられた配管立ち上げ部から立ち上がった配管を、浴室壁面の表面部分に隠蔽状態で上下方向に通して天井部分に設置された暖房ユニットに接続するため、暖房ユニット用の各種配管を浴室内に見栄え良く配置できて、暖房ユニットを含めた浴室の施工作業の作業性を向上させることができると共に、各種配管の水漏れ時のメンテナンス作業も浴室内から簡単に行うことができる。
【０００９】
また、請求項２に記載の発明によれば、請求項１に記載の発明の効果に加え、暖房ユニットに接続される配管が、浴室壁面に設置されるミラーパネル裏面の空間に該ミラーパネルによって隠蔽された状態で配置されるため、カウンター上方のミラーパネル裏面の空間を配管用として有効利用しつつ、配管を浴室内に見栄え良くかつ簡単に配置することができる。
【００１０】
また、請求項３に記載の発明によれば、請求項１に記載の発明の効果に加え、暖房ユニットに接続される配管が、浴室壁面のコーナ部にカバーによって隠蔽された状態で配置されるため、例えばカウンター後部の浴室壁面のコーナ部に形成される空間を配管用として有効利用しつつ、配管を浴室内に見栄え良くかつ簡単に配置することができる。
【００１１】
また、請求項４に記載の発明によれば、請求項１ないし３に記載の発明の効果に加え、暖房ユニットに接続される配管が、天井部分に配設した継手により所定角度屈曲して浴室壁面や天井部分に配置されるため、浴室壁面の表面部分を立ち上がった配管を、継手により天井裏等にすっきりと配置できると共に、天井裏等での配管の取り回しが簡単に行えて、浴室の施工作業の作業性を一層向上させることができる。
【００１２】
さらに、請求項５に記載の発明によれば、請求項１ないし４に記載の発明の効果に加え、配管が蒸気発生用の給水配管と排水配管を含むため、蒸気発生機能を有する暖房ユニットを天井部分に簡単に設置して、浴室内に良好な暖房状態と蒸気発生状態を得ることができる。
【００１３】
また、請求項６に記載の発明によれば、請求項５に記載の発明の効果に加え、排水配管の排水口が洗い場の防水パン上でカウンター内部に設けられるため、蒸気発生に使用した後の残水を洗い場の防水パン上でカウンター内部に排水して、洗い場の既存の排水路を使用して外部に排水でき、暖房ユニットの排水構造を簡略化できると共に防水パン等を介して排水をより良好に行うことができる。
【発明を実施するための最良の形態】
【００１４】
以下、本発明の実施の形態を図面に基づいて詳細に説明する。
図１〜図５は、本発明に係わる浴室としての浴室ユニットの一実施形態を示し、図１がその配管構造を示す側面構成図、図２がその平面構成図、図３が天井部分の縦断面図、図４が暖房ユニットの概略構成図、図５がその斜視図である。
【００１５】
図１及び図２に示すように、浴室ユニット１は、浴槽４が設置される浴槽側防水パン２と、洗い場５を形成すると共にカウンター６が設けられる洗い場側防水パン３と、これら両防水パン２、３の外周縁部に載置固定された浴室壁面としての４枚の壁パネル７ａ〜７ｄと、この各壁パネル７ａ〜７ｄの上端縁に載置固定されると共に、浴槽４の上方に暖房ユニット９が配置され洗い場５の上方に点検口１０が設けられた浴室天井としての天井パネル８等によって略箱状に形成されている。
【００１６】
また、４枚の壁パネル７ａ〜７ｄのうち、前記カウンター６が設けられる壁パネル７ａで該カウンター６の上部には、前面（表面）に例えば楕円形状のミラー１２、複数段の棚板１３、洗い場用の水栓１４及び図示しないシャワー等が取り付けられたミラーパネル１１が設置されている。このミラーパネル１１は、その高さ寸法がカウンター６の上面から天井パネル８までの高さに設定されると共に、その幅がカウンター６（洗い場５）の幅と略同一に設定されている。
【００１７】
また、ミラーパネル１１の前面は、幅方向の中央部分が例えば窪んだ円弧面で形成されることにより、幅方向の両端部に前方（洗い場５方向）に張り出した張出部１１ａがそれぞれ形成されており、この張出部１１ａの裏面となる内部には、前面と側面が閉塞された略密閉状態の空間１１ｂが形成されている。この場合、ミラーパネル１１は、その浴槽４側の張出部１１ａの側面に図示しない点検蓋を設けて、後述するようにメンテナンス時の作業性を向上させるように構成することもできる。なお、浴槽４の前記壁パネル７ａ側でかつカウンター６側の上面フランジには、浴槽用の水栓１５が配設されている。
【００１８】
そして、前記洗い場側防水パン３のカウンター６内部には、暖房循環用の往き配管立ち上げ部１６ａ及び戻り配管立ち上げ部１６ｂ、給水配管立ち上げ部１６ｃ、給湯配管立ち上げ部１６ｄからなる４個の立ち上げ部１６ａ〜１６ｄが設けられており、この各立ち上げ部１６ａ〜１６ｄには、洗い場側防水パン３の下方等に配置した往き配管１７ａと戻り配管１７ｂ、給水配管１７ｃ及び給湯配管１７ｄを介して屋外に設置された給湯機１８や水道等に接続されている。また、浴室ユニット１内において、各立ち上げ部１６ａ〜１６ｄは、次のようにして前記暖房ユニット９や各水栓１４、１５に接続されている。
【００１９】
すなわち、先ず、暖房循環用の立ち上げ部１６ａ、１６ｂには、浴室内の往き配管１９ａと戻り配管１９ｂの下端部が接続され、この各配管１９ａ、１９ｂの上端部は前記ミラーパネル１１の空間１１ｂ内を上方に向けて通されて、天井パネル８上（天井裏という）を取り回されて暖房ユニット９の後述する循環口５１ａ、５１ｂ（図４参照）に接続されている。また、前記給湯用の立ち上げ部１６ｄには、給湯配管１９ｄが接続され、この給湯配管１９ｄは、カウンター６内部に配置した三方継手２１により２つの分岐給湯配管１９ｄ−１、１９ｄ−２に分岐されて、分岐給湯配管１９ｄ−１が洗い場用の水栓１４に接続され、分岐給湯配管１９ｄ−２が浴槽４側の水栓１５に接続されている。
【００２０】
さらに、給水用の立ち上げ部１６ｃには、給水配管１９ｃが接続され、この給水配管１９ｃはカウンター６内に配置した四方継手２２により３つの分岐給水配管１９ｃ−１〜１９ｃ−３に分岐されている。そして、分岐給水配管１９ｃ−１は、前記往き配管１９ａ及び戻り配管１９ｂと同様に、ミラーパネル１１の空間１１ｂ内を上方に通されて暖房ユニット９の給水口５１ｃ（図４参照）に接続され、また、分岐給水配管１９ｃ−２は前記水栓１４に接続され、分岐給水配管１９ｃ−３は前記水栓１５に接続されている。
【００２１】
また、前記暖房ユニット９の場合は、後述するように暖房機能の他に蒸気発生機能も有することから、蒸気発生に使用した後の残水を排水する必要があり、その排水配管２３もミラーパネル１１の空間１１ｂ内に上下方向に配置されている。この排水配管２３は、暖房ユニット９の排水口５１ｄ（図４参照）から天井裏を取り回されてミラーパネル１１の空間１１ｂ内を下方に通され、その下端である排水口２３ａが洗い場側防水パン３上のカウンター６内部に位置している。この排水配管２３により、暖房ユニット９からの排水が洗い場側防水パン３上に排水されて、洗い場５で使用した湯水と同様に、洗い場５に設けた排水トラップ２４等を介して外部に排水されることになる。
【００２２】
このように、各立ち上げ部１６ａ〜１６ｂと暖房ユニット９を接続する４本の各配管１９ａ、１９ｂ、１９ｃ−１、２３（以下、この４本の配管を各配管１９ａ、１９ｂ等という）は、浴室内部分がミラーパネル１１の空間１１ｂ内に、ミラーパネル１１の前面及び側面により隠蔽された状態で配置されている。そして、各配管１９ａ、１９ｂの浴室外部分は、天井パネル８に設けた継手であるエルボ２５（もしくはアダプター）により９０度屈曲された状態で天井裏に配置されている。
【００２３】
すなわち、図３に示すように、ミラーパネル１１の空間１１ｂ上方の天井パネル８に、エルボ２５を例えば上下のナット２６の締め付けで取り付け、このエルボ２５の浴室内で垂直方向に指向する端部に、空間１１ｂ内を立ち上がった各配管１９ａ、１９ｂ等の浴室内部分の上端部を接続し、エルボ２５の天井裏で水平方向に指向する端部に、各配管１９ａ、１９ｂ等の浴室外部分を接続する。そして、この各配管１９ａ、１９ｂ等の浴室外部分を、図２に示すように天井パネル８の点検口１０を避ける状態で取り回して各配管１９ａ、１９ｂ等の先端を暖房ユニット９に接続することにより、４本の各配管１９ａ、１９ｂ等が天井裏に天井パネル８に沿った状態で配置されることになる。
【００２４】
また、ミラーパネル１１の空間１１ｂ内に配置される各配管１９ａ、１９ｂ等は、該空間１１ｂ内において互いに隣接する状態で単独で配置することもできるし、例えば図１の二点鎖線で示すように、各配管１９ａ、１９ｂ等を所定形態で隣接させてサヤ管２７に収めることにより、コンパクトにした状態で配置させ、配管作業自体の作業性を向上させたり、各配管１９ａ、１９ｂ等がフレキシブル管の場合に各配管１９ａ、１９ｂ等の配置状態を安定化させることもできる。
【００２５】
次に、前記暖房ユニット９の一例を図４及び図５に基づいて説明する。この暖房ユニット９は、図４に示すように、多数枚のフィン３２ａが温水供給管３３ａで連結された第１の熱交換器３１ａと、同様に多数枚のフィン３２ｂが温水供給管３３ｂで連結された第２の熱交換器３１ｂと、水や湯（湯水という）を循環させて湯噴出管３４から第１の熱交換器３１ａのフィン３２ａ上に放散（吐出や噴出、噴射、吹付け、噴霧等も含む）させる循環手段３５と、吸引口３６と吹出口３７との間に後述する所定の通風経路Ｒ１を形成する送風ファン３８と、換気ファン３９等を備えている。
【００２６】
前記循環手段３５は、第１の熱交換器３１ａの下方に配置され該熱交換器３１ａのフィン３２ａに沿って流下した湯水を回収するバッファタンク４０と、このバッファタンク４０内に回収した湯水を汲み上げる循環ポンプ４１と、第１の熱交換器３１ａのフィン３２ａ上部に所定の間隔を有して配置され、循環ポンプ４１で汲み上げた湯水をフィン３２ａ上に放散させる前記湯噴出管３４等を有している。前記バッファタンク４０には、その上面開口部に給水電磁弁４６が設けられた給水管４５ｃが接続され、その底壁に排水電磁弁４８が設けられた排水管４５ｄが接続されると共に、側壁上部と排水管４５ｄとの間にはオーバーフロー管４９が接続されている。
【００２７】
また、前記第１の熱交換器３１ａと第２の熱交換器３１ｂには、暖房循環用の往き管４５ａと戻り管４５ｂが接続され、往き管４５ａには給湯電磁弁４７が接続されている。そして、これらの往き管４５ａ及び戻り管４５ｂ、給水管４５ｃ、排水管４５ｄは、暖房ユニット９の例えば本体ケース５１に設けた循環口５１ａ、５１ｂ、給水口５１ｃ、排水口５１ｄにそれぞれ接続されており、これら循環口５１ａ、５１ｂ、給水口５１ｃ、排水口５１ｄに、前述した各配管１９ａ、１９ｂ等の端部が接続されて、暖房ユニット９が給湯機１８に接続されている。
【００２８】
そして、このように構成された暖房ユニット９は、各部材が横方向に薄型の本体ケース５１内に配置されることで、図５に示すように、暖房ユニット９自体が扁平薄型形状に形成され、本体ケース５１の下面開口部に、前記吸気口３６と吹出口３７が設けられたグリル板５９が着脱可能に装着された状態で浴室ユニット１の天井部分に設置される。
【００２９】
すなわち、本体ケース５１を浴室ユニット１の浴槽４上方の天井パネル８に、例えば図５に二点鎖線で示すように、浴室ユニット１上方の建築躯体２８に複数本の吊りボルト６０により吊り下げ設置し、本体ケース５１のグリル板５９の吸気口３６と吹出口３７を浴室内に開口させる。この状態で、本体ケース５１の循環口５１ａ、５１ｂ、給水口５１ｃ、排水口５１ｄと前記各配管１９ａ、１９ｂ等を接続すると共に、所定の電気配線等を行うことにより、暖房ユニット９が浴室ユニット１の天井部分に設置される。これにより、施工時（あるいはメンテナンス時）に、暖房ユニット９への各配管１９ａ、１９ｂ等の配管作業等を浴室内から行うことができて、その作業が極めて簡単に行えることになる。
【００３０】
そして、この暖房ユニット９の場合、暖房機能と蒸気発生機能を有すると共に、換気ファン３９を備えることから、前記制御基板５５の制御により例えば「ミスト暖房」「ドライ暖房」「乾燥」「換気」の４つの運転モードで運転可能であり、各運転モード時において、循環ポンプ４１と送風ファン３８のモータ３８ａ、換気ファン３９のモータ３９ａ、及び吹出口３７に配設されたルーバー５４のモータ５４ａが所定の動作（作動もしくは停止）をするように設定されている。また、前記４つの運転モード時に、暖房ユニット９の各熱交換器３１ａ、３１ｂや循環手段３５が、所定に作動するように設定されている。
【００３１】
なお、「ミスト暖房」運転時に、循環手段３５内を循環して蒸気発生に使用した後に残った湯水は、例えば運転終了後に排水する必要があるが、この排水は、排水電磁弁４８を「開」にすることにより行われる。すなわち、排水電磁弁４８が開くと、バッファタンク４０内の水（排水）が、排水管４５ｄ、排水口５１ｄ、排水配管２３を介して流下して、排水配管２３の排水口２３ａからカウンター６内部の洗い場側防水パン３上に排水され、これが洗い場５の排水トラップ２４から浴室ユニット１に設けられる排水路を介して外部に排水されることになる。
【００３２】
このように、上記実施形態の浴室ユニット１にあっては、洗い場側防水パン３のカウンター６内部に設けた立ち上げ部１６ａ、１６ｂから立ち上がった往き配管１９ａと戻り配管１９ｂ、立ち上げ部１６ｃから立ち上がり分岐された分岐給水配管１９ｃ−１、及び排水配管２３の暖房ユニット９に必要な４本の各配管１９ａ、１９ｂ等を、浴室ユニット１のミラーパネル１１の空間１１ｂ内に隠蔽状態で上下方向に通して天井パネル８上に設置した暖房ユニット９に接続するため、各配管１９ａ、１９ｂ等を浴室ユニット１内や天井裏に配置できて、浴室ユニット１と建築躯体２８との間の空間が施工に何等影響することがなく、暖房ユニット９への配管作業等の浴室ユニット１の施工作業を簡単に行うことができる。
【００３３】
また、洗い場側防水パン３に設けられた各立ち上げ部１６ａ〜１６ｄに所定の配管が接続されると共に、カウンター６内部に配置した三方継手２１や四方継手２２により所定の配管が分岐されて所定位置に配置されるため、浴室ユニット１を施工する際に通常配管される各立ち上げ部１６ａ〜１６ｄを有効利用しつつ暖房ユニット９を設置できて、浴室ユニット１自体の配管構造を変えることなく対応でき、浴室ユニット１の配管構造を従来と大きく変わらない簡素な配管構造とすることができる。
【００３４】
また同時に、各配管１９ａ、１９ｂ等が浴室ユニット１内に配置されると共に、これらの各配管１９ａ、１９ｂ等の天井裏部分が点検口１０から点検可能に配置されているため、各配管１９ａ、１９ｂ等に万一水漏等があった場合でも、点検口１０から、あるいはミラーパネル１１を取り外したりミラーパネル１１の側面に設けた点検蓋を取り外すことで、各配管１９ａ、１９ｂ等に簡単にアクセスできて、従来のように浴室ユニット１や建築躯体２８を壊して配管にアクセスする必要がなくなる。その結果、万一水漏れした場合等の、各配管１９ａ、１９ｂ等のメンテナンス作業を浴室内から極めて簡単に行うことが可能となる。
【００３５】
さらに、暖房ユニット９に接続される各配管１９ａ、１９ｂ等が浴室ユニット１内を通るため、これらに付着した結露等の水が浴室ユニット１内に流れて浴室ユニット１外部に悪影響を与えることがなくなると共に、結露が浴室ユニット１の内部材のみに現れて、浴室ユニット１外に結露水が垂れることを防止することができる。また、暖房ユニット９に接続される各配管１９ａ、１９ｂ等が、三方継手２１、四方継手２２、エルボ２５等により気密性を有して接続されているため、浴室ユニット１で使用する水や蒸気の浴室ユニット１外への漏れを防止することができ、これらにより、水密性（防水性）に優れた浴室ユニット１の提供が可能となる。
【００３６】
また、暖房ユニット９に接続される各配管１９ａ、１９ｂ等が浴室ユニット１内に設置されているミラーパネル１１裏面の空間１１ｂに、該ミラーパネル１１によって隠蔽された状態で配置されるため、カウンター６上方の壁パネル７ａ表面に設置されるミラーパネル１１の空間１１ａを有効利用しつつ、各配管１９ａ、１９ｂ等を浴室ユニット１内に突出することなくすっきりと配置できて、浴室ユニット１内の見栄えの低下を防止することができる。
【００３７】
またさらに、暖房ユニット９に接続される各配管１９ａ、１９ｂ等が、天井パネル８に配設したエルボ２５により略９０度屈曲して天井裏に配置されるため、ミラーパネル１１の空間１１ｂ内を立ち上がった各配管１９ａ、１９ｂ等を、エルボ２５により天井パネル８上にすっきりと配置することができると共に、天井パネル８上での各配管１９ａ、１９ｂ等の点検口１０を避けた取り回しが簡単に行えて、浴室ユニット１の施工作業の作業性やメンテナンス性を一層向上させることができる。
【００３８】
さらにまた、暖房ユニット９に接続された排水配管２３の排水口２３ａが、洗い場側防水パン３上でカウンター６内部に開口しているため、蒸気発生に使用した後の残水を洗い場側防水パン３上に直接排水して、洗い場５の排水トラップ２４等の既存の排水路を使用して外部に排水でき、暖房ユニット９の排水構造を簡略化できると共に、洗い場側防水パン３上への直接排水により、浴室ユニット１外での排水接続やドライエリアへの排水がなくなり、暖房ユニット９からの排水を一層良好かつ確実に行うことができる。
【００３９】
図６及び図７は、本発明に関わる浴室ユニット１の他の実施形態を示す側面構成図及び平面構成図である。以下、上記実施形態と同一部位には同一符号を付して説明する。この実施形態の浴室ユニット１の特徴は、洗い場側防水パン３の各立ち上げ部１６ａ〜１６ｄと天井裏に設置される暖房ユニット９との間の各配管１９ａ、１９ｂ等を、前述したミラーパネル１１の空間１１ｂ内でなく、壁パネル７ａとこの壁パネル７ａに直交状態で隣接する壁パネル７ｂとのコーナ部６１にカバー６２で隠蔽した状態で配置した点にある。
【００４０】
すなわち、立ち上げ部１６ａ、１６ｂに接続された往き配管１９ａ及び戻り配管１９ｂと、立ち上げ部１６ｃに接続され四方継手２２により分岐された分岐給水配管１９ｃ−１と、排水配管２３の４本の各配管１９ａ、１９ｂ等を、コーナ部６１に上下方向に略直線状で配置する。そして、この各配管１９ａ、１９ｂ等の前面側（浴室ユニット１内側）に、その表面に例えば壁パネル７ａ、７ｂ等と同一意匠が施された平面状もしくは適宜形状に屈曲形成された板状のカバー６２を、接着やねじ込みあるいは嵌め込み等の適宜の固着手段で取り付ける。
【００４１】
この実施形態においても、各配管１９ａ、１９ｂ等を浴室内に形成されてデッドスペースとなり易い壁パネル７ａ、７ｂのコーナ部６１に配置してカバー６２で隠蔽することができて、上記実施形態と同様の作用効果を得ることができ、特に、ミラーパネル１１を備えない浴室ユニット１や、ミラーパネル１１を備えてもその張出部１１ａの突出寸法が小さく十分な広さの空間１１ｂが確保できない浴室ユニット１等にも好適に適用することができる。この実施形態においても、コーナ部６１の各配管１９ａ、１９ｂ等をサヤ管２７に収めて配置しても良いし、天井パネル８に設けた前記エルボ２５に対応する適宜の形状の継手を使用して、図７に示すように各配管１９ａ、１９ｂ等を点検口１０を回避した状態で天井裏に配置することができる。
【００４２】
なお、上記各実施形態においては、暖房ユニット９が暖房機能と蒸気発生機能を備える場合について説明したが、本発明はこれに限定されず、例えば暖房機能のみを有する暖房ユニット９を使用することもできる。この場合は、暖房循環用の往き配管１９ａと戻り配管１９ｂの２本の配管を、ミラーパネル１１の空間１１ｂ内や壁パネル７ａ〜７ｄのコーナ部６１に隠蔽状態で配置すれば良く、配管構造が一層簡素化されることになる。
【００４３】
また、上記図１に示す実施形態においては、各配管１９ａ、１９ｂ等をミラーパネル１１の浴槽４側の空間１１ｂ内に配置したが、例えばミラーパネル１１の壁パネル７ｂ側の空間１１ｂ内に配置することもできるし、図６に示す実施形態において、各配管１９ａ、１９ｂ等を、壁パネル７ａと壁パネル７ｂのコーナ部６１に限らず、４枚の壁パネル７ａ〜７ｄに形成される４つのコーナ部のうちの適宜のコーナ部を採用する等、暖房ユニット９の設置位置や点検口１０の位置、立ち上げ部１６ａ、１６ｄの位置等に応じて適宜の構成を採用することができる。
【００４４】
さらに、上記各実施形態においては、暖房ユニット９を天井パネル８上（天井裏）に設置したが、例えば天井パネル８と壁パネル７ａ〜７ｄのコーナ部分（このコーナ部分と天井パネル８を含めて天井部分という）に設置しても良いし、上記各実施形態における、暖房ユニット９自体の形態、浴室ユニット１の形態、立ち上げ部１６ａ〜１６ｄの位置、分岐に使用する弁の形態等も一例であって、例えば本体ケース５１内に１台の熱交換機を有する暖房ユニット９を使用したり、暖房循環用の立ち上げ部１６ａ、１６ｂと、立ち上げ部１６ｃ、１６ｄを洗い場側防水パン３上の別位置や浴槽側防水パン２上に設ける等、本発明に係わる各発明の要旨を逸脱しない範囲において適宜に変更することができる。
【産業上の利用可能性】
【００４５】
本発明は、システムバスルーム等のユニット化された浴室に限らず、暖房ユニットが天井部分に設置され防水パン上に配管立ち上げ部が設けられた各種浴室にも適用できる。
【図面の簡単な説明】
【００４６】
【図１】本発明に係わる浴室を浴室ユニットに適用した場合の一実施形態を示す側面構成図
【図２】同その平面構成図
【図３】同天井部分の縦断面図
【図４】同暖房ユニットの一例を示す概略構成図
【図５】同その斜視図
【図６】本発明に係わる浴室の他の実施形態を示す側面構成図
【図７】同その平面構成図
【符号の説明】
【００４７】
１・・・浴室ユニット、２・・・浴槽側防水パン、３・・・洗い場側防水パン、４・・・浴槽、５・・・洗い場、６・・・カウンター、７ａ〜７ｄ・・・壁パネル、８・・・天井パネル、９・・・暖房ユニット、１０・・・点検口、１１・・・ミラーパネル、１１ａ・・・張出部、１１ｂ・・・空間、１４、１５・・・水栓、１６ａ〜１６ｄ・・・立ち上げ部、１８・・・給湯機、１９ａ・・・往き配管、１９ｂ・・・戻り配管、１９ｃ・・・給水配管、１９ｃ−１〜１９ｃ−３・・・分岐給水配管、１９ｄ・・・給湯配管、１９ｄ−１、１９ｄ−２・・・分岐給湯配管、２１・・・三方弁、２２・・・四方弁、２５・・・エルボ、２８・・・建築躯体、３１ａ・・・第１の熱交換器、３１ｂ・・・第２の熱交換器、３５・・・循環手段、５１・・・本体ケース、５１ａ、５１ｂ・・・循環口、５１ｃ・・・給水口、５１ｄ・・・排水口、６１・・・コーナ部、６２・・・カバー。
【図１】
2006214199.tif 000003
【図２】
2006214199.tif 000004
【図３】
2006214199.tif 000005
【図４】
2006214199.tif 000006
【図５】
2006214199.tif 000007
【図６】
2006214199.tif 000008
【図７】
2006214199.tif 000009